(57)【特許請求の範囲】
【請求項１】
外側収容箱（５０）と、
この外側収容箱内に収容される内側収容箱（６０）と、
この内側収容箱にその開口部を覆うように位置調節可能に支持されるシート（７０）とを備えて、
前記内側収容箱は、その内部を、互いに並行な複数の仕切壁（６０ｂ）により複数の収容部（６１）に分割してなり、
前記シートは、前記各仕切壁に対応する各スリット（７１）と各製品（８０）を載置する各載置部（７４）とを交互に有して、当該各スリットに前記各仕切り壁をその上縁から挿通させるようにして、前記各載置部を前記各収容部内にその底壁から分離した状態でハンモック形状に湾曲させるようにした通い箱。
【請求項２】
前記シートは、前記各載置部から延出されて当該各載置部上に向け前記各製品を覆うように折り曲げられる延出部を有することを特徴とする請求項１に記載の通い箱。
【請求項３】
前記各載置部は、その最下端にて、前記各収容部の底面から離れて位置することを特徴とする請求項１又は２に記載の通い箱。
【発明の詳細な説明】
【０００１】
【発明の属する技術分野】
本発明は、製品を搬送するために当該製品を収納する通い箱に関するものである。
【０００２】
【従来の技術】
従来、製品を工場内にて次の工程に搬送したり、或いは製品を納入先等の別工場へ搬送するために、当該製品を収納する通い箱が用いられている。この通い箱は、保管場所や搬送方法を統一するためにも、ある程度決められた大きさになっている。また、製品が小さい場合には、複数の製品を同じ通い箱に収納して搬送している。このような場合には、通い箱の内部が予め仕切り板により複数の収納部に仕切られており、これら各収納部内に各製品を収納するようにしている。
【０００３】
【発明が解決しようとする課題】
ところで、上記通い箱を用いて、例えば、車両用計器を搬送する場合、搬送時の振動等により計器に傷がつかないように、当該計器を、例えば、ビニールシートで覆ってから通い箱に収納するようにしている。ここで、計器が複数である場合には、一つ一つの計器を別々にビニールシートで覆ってから通い箱に収納するようにしている。
【０００４】
しかし、上述のように計器をビニールシートで覆って通い箱に収納するという作業には多大の工数がかかり、また、ビニールシートは廃却されて無駄になることが多い。また、計器は通い箱の底壁に接触しているため、上述のように計器がビニールシートにより覆われていても、計器の突き出し部位が折れたり、曲がったりすることもある。
【０００５】
このようなことを防ぐために、通い箱の底壁に、各計器の形状にあわせた形状の柔らかい各台を設けて、これら各台の上に各計器を置くことが考えられるが、これらの台は、各計器に固有の物になってしまうことが多いため、自由度がなく、しかも回収するにも選別作業が大変である。また、当該計器の生産がなくなると、台は廃却されて無駄となる場合が多い。
【０００６】
そこで、本発明は、以上のようなことに対処するため、製品の搬送にあたり、ハンモック形状となるシートを用いて、余分な作業や部材に依存することなく、当該製品を安全に収納するようにした通い箱を提供することを目的とする。
【０００７】
【課題を解決するための手段】
上記課題の解決にあたり、請求項１に記載の発明に係る通い箱は、外側収容箱（５０）と、この外側収容箱内に収容される内側収容箱（６０）と、この内側収容箱にその開口部を覆うように位置調節可能に支持されるシート（７０）とを備えて、内側収容箱は、その内部を、互いに並行な複数の仕切壁（６０ｂ）により複数の収容部（６１）に分割してなり、シートは、各仕切壁に対応する各スリット（７１）と各製品（８０）を載置する各載置部（７４）とを交互に有して、当該各スリットに各仕切り壁をその上縁から挿通させるようにして、各載置部を各収容部内にその底壁から分離した状態でハンモック形状に湾曲させる。
【０００８】
これにより、各製品がシートによりそのハンモック形状の各載置部上にて支持されるので、余分な作業や部材なくして、各製品を安全に通い箱に収納できる。このため、当該通い箱を搬送しても、各製品に損傷を与えることがない。
【０００９】
また、請求項２に記載の発明では、シートは、各載置部から延出されて当該各載置部上に向け各製品を覆うように折り曲げられる延出部を有することを特徴とする。
【００１０】
これにより、請求項１に記載の発明の作用効果を達成できるのは勿論のこと、シートが蓋としての役割をも果たすので、別途蓋部材を採用する必要がない。
【００１５】
また、請求項３に記載の発明では、請求項１又は２に記載の通い箱において、各載置部は、その最下端にて、各収容部の底面から離れて位置することを特徴とする。
【００１６】
これにより、各製品の安全性をより一層確実にしつつ請求項１又は２に記載の発明の作用効果を達成できる。
【００２０】
なお、上記各手段の括弧内の符号は、後述する実施形態に記載の具体的手段との対応関係を示すものである。
【００２１】
【発明の実施の形態】
以下、本発明の各実施形態を図面により説明する。
【００２２】
（第１実施形態）
図１乃至図９は、本発明に係る通い箱の第１実施形態を示している。当該通い箱は、図１、図２及び図４にて示すごとく、断面略コ字状の収容箱１０と、枠体２０と、シート３０とを備えている。枠体２０は、外箱１０内に収容されるもので、この枠体２０は、図５乃至図７にて示すごとく、略四角状の両枠板２１と、長手状の両位置調整部材２２と、長手状の両フレーム２３とにより構成されている。
【００２３】
両枠板２１は、複数の溝部２１ａ、２１ｂを備えており、各溝部２１ａ及び各溝部２１ｂは、図５にて示すごとく、枠板２１の上縁に形成されている。ここで、各溝部２１ａは、各溝部２１ｂに対し、枠板２１の上縁に図５にて図示左右方向中央を基準に左右に対称的に形成されている。
【００２４】
各位置調整部材２２は、図３及び図６にて示すごとく、厚板部２２ａと、薄板部２２ｂとを備えており、薄板部２２ｂは、図３にて示すごとく、厚板部２２ａの上縁の板厚方向中央から一体的に延出形成されている。また、各位置調整部材２２においては、厚板部２２ａは、図６にて示すごとく、両溝部２２ｃ、２２ｄを備えており、これら両溝部２２ｃ、２２ｄは、各厚板部２２ａの下縁にその長手方向中央を基準に左右対称的に形成されている。本実施形態では、溝部２２ｃは、枠板２１の各溝部２１ａのいずれかにはめ込むためのものであり、一方、溝部２２ｄは、枠板２１の各溝部２１ｂのいずれかに着脱可能にはめ込むためのものである。
【００２５】
両フレーム２３は、図３にて示すごとく、共に、凹部２３ａを備えており、この凹部２３ａは、フレーム２３の下面に断面コ字状に形成されている。ここで、凹部２３ａには、後述するシート３０の一部を介し位置調整部材２２の薄板部２２ｂが着脱可能にはめ込まれるようになっている。
【００２６】
シート３０は、車両用計器４０を載置するために枠体２０内にハンモック形状につり下げて取りつけられるもので、このシート３０は、図８にて示すごとく、シート部３１と、錘３２とにより構成されている。シート部３１は、ある程度の剛性を有する柔軟なシート材料により形成されており、当該シート部３１は、収容箱１０の図４にて図示左右方向長さのほぼ２倍の長さを有している。錘３２は長手状のもので、この錘３２は、その下縁部３２ａにて、シート部３１の長手方向一端部３１ａに固着されている。なお、シート部３１の長手方向一端部３１ａは、錘３２の長さにあわせて図８にて示すごとく幅狭に形成されている。
【００２７】
以上のように構成した本第１実施形態において、計器４０の収容箱１０内への収納は次のようにして行う。
【００２８】
まず、両枠板２１を計器４０の大きさにあわせて間隔をおいて立てる。そして、両位置調整部材２２の一方を、その両溝部２２ｃ、２２ｄにて、両枠板２１の各対応溝部２１ａにはめ込む（図１参照）。このはめ込みは、各溝部２２ｃ、２２ｄの底部が対応の各溝部２１ａの底部にはまり合うように行う。また、他方の位置調整部材２２を、その両溝部２２ｃ、２２ｄにて、両枠板２１の各対応溝部２１ｂにはめ込む（図１参照）。このはめ込みは、他方の位置調整部材２２の各溝部２２ｃ、２２ｄの底部が対応の各溝部２１ａの底部にはまり合うように行う。これにより、両枠板２１が両位置調整部材２２により支持されて、両フレーム２３を除く枠体２０の組立が完了する。
【００２９】
ついで、シート３０を、シート部３１の長手方向他側端部（以下、長手方向他側端部３１ｂという）にて、両位置調整部材２２の一方の上に載せる。そして、このような状態において、両フレーム２３の一方を、その凹部２３ａにて、上述のように両枠板２１に組み付けた位置調整部材２２の薄板部２２ｂに上方からシート部３１の長手方向他側端部３１ｂを介しはめ込む（図３及び図９参照）。これにより、シート部３１は、長手方向他側端部３１ｂにて、フレーム２３により対応の位置調整部材２２に挟持される。
【００３０】
然る後、シート３０を、錘３２を把持して図９にて図示右方へ引っ張る。そして、この引っ張り状態からシート３０を解放すると、シート部３１は、上記長手方向他側端部３１ｂの挟持状態にて、その長手方向中間部位にて、他方の位置調整部材２２上に載置された状態に維持される。
【００３１】
このような状態において、計器４０を、シート部３１のうち両位置調整部材２２の間の部分（以下、載置部分という）上に載せる。そして、シート部３１の載置部分を、錘３２を当該載置部分側へ移動させながら、図２にて示すごとく、下方へハンモック形状に湾曲させる。このとき、錘３２の上記移動は、シート部３１の載置部分が、その最下端にて、両枠板２１の各下縁よりも所定高さだけ上方に位置するように行う（図１及び図２参照）。
【００３２】
然る後、残りのフレーム２３を、その凹部２３ａにて、他方の位置調整部材２２の薄板部２２ｂに上方からシート部３１の長手方向中間部位を介しはめ込む。これにより、シート部３１は、その長手方向中間部位にて、残りのフレーム２３により対応の位置調整部材２２に挟持される。これにより、シート３０は、計器４０を載置した状態で、両枠板２１の間にハンモック形状につり下げ状態で支持される。
【００３３】
このような状態にて、シート３０を、残りのフレーム２３により対応の位置調整部材２２に挟持した中間部位を基準にして、錘３２を把持して長手方向他側端部３１ｂ側へ折り曲げる。これにより、計器４０が、シート３０の折り曲げ部分により覆われる。このことは、シート３０は、収容箱１０の開口部の蓋としての役割をも果たすことを意味する。また、シート部３１の長手方向他側端部３１ｂが錘３２により固定的に保持されるので、シート３０は蓋としての役割を確実に果たすことができる。
【００３４】
ついで、両枠板２１を把持して持ち上げて収容箱１０内に収容する。これにより、計器４０が、収容箱１０内にてシート部３１上に載置された状態で保持される。このとき、計器４０は、ハンモック形状のシート部３１により、収容箱１０の底壁から上方へ離れた状態で支持されているので、計器４０は収容箱１０の内壁や両枠板２１と当接することがない。従って、収容箱１０を上述のように計器４０を収納した状態で搬送しても、計器４０が損傷を受けることがない。
【００３５】
また、上述のように収容箱１０内に、ハンモック形状のシート部３１上に計器４０を載置した枠体２０を収容するだけで済むので、計器４０をビニールシートで覆うような面倒な作業が不要となるのは勿論のこと、当該ビニールシートや計器を保護するための台のような余分な部材が不要となる。
【００３６】
また、上述のように、シート３０のシート部３１をハンモック形状にしたときの当該シート部３１の最下端と収容箱１０の底壁との間の間隔は、シート部３１の錘３２側中間部位のフレーム２３による挟持位置を調整することで変更できるので、種々の大きさの計器に対応できる。
【００３７】
また、シート３０は上述のように蓋としての役割をも果たすので、別途、蓋部材を採用する必要はない。また、シート３０は枠体２０から分離できるので、シート３０のみを回収して再使用することも可能である。また、計器に代えて、各種の製品を収納するにあたっても、上述と同様の作用効果を達成できる。なお、収容箱１０は汎用品で済む。
【００３８】
（第２実施形態）
図１０乃至図１５は、本発明に係る通い箱の第２実施形態を示している。この第２実施形態では、通い箱は、略断面コ字状の外側収容箱５０と、内側収容箱６０と、四角状のシート７０とにより構成されている。
【００３９】
外側収容箱５０は、複数の車両用計器８０を収容可能とするため、上記第１実施形態にて述べた収容箱１０よりも大きくなっている。なお、当該外側収容箱５０の図１３にて図示左右方向外壁には、取っ手５１（図１３では一方の取っ手５１のみを示す）が設けられている。
【００４０】
内側収容箱６０は、図１４にて示すごとく、断面コ字状の箱本体６０ａと、三枚の仕切壁６０ｂとを備えており、各仕切壁６０ｂは、箱本体６０ａ内に図１４にて示すごとく互いに間隔をおいて平行に設けられて当該箱本体６０ａの内部を分割し各収容部６１を形成している。また、箱本体６０ａの図１４にて図示前後方向外壁には、各両係止片６２が、各収容部６１に対応する位置にて、設けられている。図１４では、便宜上、箱本体６０ａの図１４にて前側外壁に設けた各前側係止片６２のみが示されているが、これら各係止片６２を例にとれば、当該各係止片６２は、その上縁部６２ａにて、箱本体６０ａの前側外壁に固着されており、当該各係止片６２の係止部６２ｂは、下方に向け外方へ傾斜状に延出している。なお、残りの後側係止片６２も実質的に同様の構成となっている。
【００４１】
シート７０は、上記第１実施形態にて述べたシート３０のシート部３１の形成材料と同様の材料で形成されており、このシート７０は、内側収容箱６０内でハンモック形状に湾曲しかつ各前後両側係止片６２と係合し得るような長さを有している。
【００４２】
また、シート７０は、図１５にて示すごとく、３条のスリット７１と、４対のスリット状前側係合穴７２と、４対のスリット状後側係合穴部７３とを備えている。各スリット７１は、シート７０の中央部を、図１５にて示すごとく、４つの載置部７４に分割するように、各仕切壁６１に対応する位置にてシート７０の中央部に互いに平行に形成されている。ここで、各スリット７１の幅は当該各スリット７１内に対応の各仕切壁６１を挿入できるように設定されている。
【００４３】
４対のスリット状係合穴７２は、４対のスリット状係合穴部７３に対し、シート７０の図１５にて図示上下方向中央を基準に対称的に当該シート７０に形成されている。ここで、４対のスリット状係合穴７２は、その対毎に、対応の各載置部７４の図１５にて図示上側に位置するシート７０の端部に形成されており、一方、４対のスリット状係合穴７３は、その対毎に、対応の各載置部７４の図１５にて図示下側に位置するシート７０の端部に形成されている。
【００４４】
また、４対のスリット状係合穴７２は、その対毎に、各スリット７１の長手方向に直角であって、互いに平行となっており、一方、４対のスリット状係合穴７３も、その対毎に、各スリット７１の長手方向に直角であって、互いに平行となっている。なお、各係合穴部７２、７３は、対応の係止片６２の係止部６２ｂを挿入できるような開口形状を有する。
【００４５】
このように構成した本第２実施形態において、各計器８０の外側収容箱５０内への収容は次のようにして行う。
【００４６】
まず、シート７０を内側収容箱６０にその開口面側から載置する。この載置は、各スリット７１が対応の各仕切壁６０ｂの上縁に重なるように行う。然る後、各計器８０を、それぞれ、シート７０の対応の各載置部７４上に載置する。そして、各仕切壁６０ｂがその上縁にて対応の各スリット７１内に下方から挿入されるとともに各載置部７４が各計器８０の自重のもと対応の収容部６１内にハンモック形状に下方へ向け湾曲するように、シート７０の前後両端部の位置を調整する（図１０及び図１１参照）。
【００４７】
然る後、内側収容箱６０の各前側係止片６２を、その係止部６２ｂにて、シート７０の各対の前側係合穴部７２に挿通係止する。この場合、挿通すべき係合穴部７２は、対応の各対の係合穴部７２のうち挿入し易い方の係合穴部７２とする。一方、内側収容箱６０の各後側係止片６２を、その係止部６２ｂにて、シート７０の各対の後側係合穴部７３に挿通係止する。この場合、各載置部７４の最下端が対応の各収容部６１の底面から分離して上方に位置するように、挿通すべき係合穴部７３を、対応の各対の係合穴部７３から対毎に選択する。
【００４８】
ついで、このようにして各計器８０を載置してなる内側収容箱６０を外側収容箱５０内に収容する。これにより、各計器８０が、内側収容箱６０の各収容部６１内にてシート７０の各載置部７４上に載置された状態で外側収容箱５０内に保持される。このとき、各計器８０は、シート７０のハンモック形状の各載置部７４により、内側収容箱６０の底壁（各収容部６１の底壁）から上方へ離れた状態で支持されているので、各計器８０は収容箱６０の内壁等と当接することがない。従って、外側収容箱５０を上述のように各計器８０を収納した状態で搬送しても、各計器８０が損傷を受けることがない。
【００４９】
また、上述のように、ハンモック形状の各載置部７４上に各計器８０を載置してなる内側収容箱６０を外側収容箱５０に収容するだけで済むので、各計器８０をビニールシートで覆うような面倒な作業が不要となるのは勿論のこと、当該各ビニールシートや各計器を保護するための台のような余分な部材が不要となる。
【００５０】
また、計器８０が上述のように複数であっても、シート７０の各載置部７４をハンモック形状にしたときの当該各載置部７４の最下端と収容箱６０の底壁との間の間隔は、収容箱６０の前後各係止片６２に係止するシート７０の各対毎の係合穴部７２、７３における係合穴部の選択により調整できるので、種々の大きさの計器に対応できる。また、シート７０は収容箱６０から分離できるので、シート７０のみを回収して再使用することも可能である。また、各計器８０が互いに大きさの異なるものであっても、また、計器に代えて各種の製品を収容する場合にも、上述と同様の作用効果を達成できる。
【００５１】
なお、収容箱５０は汎用品で済む。また、本第２実施形態では、収容箱６０の蓋は特に採用しなかったが、シート７０を、上記第１実施形態にて述べたシート３０と同様に延長したものとし、折り曲げて蓋としての役割を果たすようにしてもよい。この場合、シート７０の折り曲げ先端部に錘を設けておけば、シート３０の錘３２と同様の役割を確保できる。
【００５２】
図１６乃至図２０は、上記第２実施形態の変形例を示している。この変形例においては、蓋９０が、上記第２実施形態にて述べた内側収容箱６０に付加的に採用されている。この蓋９０は、図１６及び図１７にて示すごとく、蓋本体９１と、固定板９２と、フック９３と、両位置あわせ板９４、９５とにより構成されている。
【００５３】
蓋本体９１は、シート７０の形成材料と同様の材料によりシート状に形成されている。固定板９２は、その基端部９２ａにて、蓋本体９１の基端部９１ａに装着されており、この固定板９２は剛性板により形成されている。フック９３は、断面コ字状の剛性部材からなるもので、このフック９３は、その一端部９３ａにて、図１６及び図１７にて示すごとく、蓋本体９１の先端部９１ｂの幅方向中央に装着されている。
【００５４】
位置あわせ板９４は、蓋本体９１にその基端部９１ａ側にて装着されており、この位置あわせ板９４と固定板９２との対向端間には所定の間隔が付与されている。また、位置あわせ板９５は、蓋本体９１にその先端部９１ｂ側にて装着されており、この位置あわせ板９５とフック９３の一端部９３ａの対向端間には所定の間隔が付与されている。これにより、各位置あわせ板９４、９５は、蓋本体９１を上記第２実施形態にて述べた内側収容箱６０の開口部の両対向端に位置あわせする役割を果たす。その他の構成は上記第２実施形態と同様である。
【００５５】
このように構成した本変形例において、蓋９０により内側収容箱６０の開口部を閉じるには以下のようにする。
【００５６】
まず、上記第２実施形態にて述べたように各計器８０を収容した内側収容箱６０を、外側収容箱５０内に収容する（図１８参照）。然る後、蓋９０の固定板９２を、図１８にて示すごとく、外側収容箱５０の内壁と内側収容箱６０の各前側係止片６２との間に挿入する。このとき、位置あわせ板９４を、収容箱６０の開口部のうち図１８にて図示左端部上に位置させる。これにより、蓋９０の収容箱６０の開口部の左端部に対する位置あわせが良好になされ得る。
【００５７】
ついで、蓋９０のフック９３を把持して蓋本体９１により収容箱６０の開口部を覆う。このとき、位置あわせ板９５を、収容箱６０の開口部のうち図１９にて図示右端部上に位置させる。これにより、蓋９０の収容箱６０の開口部の右端部に対する位置あわせが良好になされ得る。
【００５８】
然る後、フック９３を、そのコ字状凹部（図１８及び図１９にて符号９３ｂ参照）にて、外側収容箱５０の後壁の上縁にはめ込む（図１９及び図２０参照）。これにより、各計器８０を収容箱６０内に蓋９０でもって閉止できる。ここで、上述のように蓋９０が収容箱６０の開口部に対し両位置あわせ板９４、９５により良好に位置あわせされるので、蓋９０による収容箱６０の開口部の閉止が確実にかつ容易になされ得る。その他の構成及び作用効果は上記第２実施形態と同様である。
【図面の簡単な説明】
【図１】本発明に係る通い箱の第１実施形態を示す正面側からみた破断図である。
【図２】図１の通い箱の側面からみた破断図である。
【図３】図２の通い箱の部分拡大図である。
【図４】図１の収容箱の斜視図である。
【図５】図１の各仕切り板の正面図である。
【図６】図２の各位置調整部材の正面図である。
【図７】図２の各フレームの正面図である。
【図８】図１のシートの平面図である。
【図９】上記第１実施形態における枠体及びシートの組み付け過程を計器と共に示す平面図である。
【図１０】本発明に係る通い箱の第２実施形態を示す正面からみた破断図である。
【図１１】図１０の通い箱（外側収容箱を除く）の部分破断側面図である。
【図１２】図１０の通い箱（外側収容箱を除く）の平面図である。
【図１３】図１０の外側収容箱の斜視図である。
【図１４】図１０の内側収容箱の斜視図である。
【図１５】図１０のシートの平面図である。
【図１６】上記第２実施形態の変形例を示す平面図である。
【図１７】図１６の蓋の側面図である。
【図１８】上記変形例の蓋で内側収容箱を閉める過程を示す通い箱の破断図である。
【図１９】上記変形例の蓋で内側収容箱を閉めた状態を示す通い箱の破断図である。
【図２０】上記変形例の蓋で内側収容箱を閉めた状態を示す通い箱の平面図である。
【符号の説明】
１０…収容箱、２０…枠体、２１…仕切り板、
２１ａ、２１ｂ、２２ｃ、２２ｄ…溝部、２２…位置調整部材、
２３…フレーム、３０、７０…シート、３１…シート部、
４０、８０…製品、５０…外側収容箱、６０…内側収容箱、
７１…スリット、７４…載置部。
【図１】
0004374743.tif 000002
【図２】
0004374743.tif 000003
【図３】
0004374743.tif 000004
【図４】
0004374743.tif 000005
【図５】
0004374743.tif 000006
【図６】
0004374743.tif 000007
【図７】
0004374743.tif 000008
【図８】
0004374743.tif 000009
【図９】
0004374743.tif 000010
【図１０】
0004374743.tif 000011
【図１１】
0004374743.tif 000012
【図１２】
0004374743.tif 000013
【図１３】
0004374743.tif 000014
【図１４】
0004374743.tif 000015
【図１５】
0004374743.tif 000016
【図１６】
0004374743.tif 000017
【図１７】
0004374743.tif 000018
【図１８】
0004374743.tif 000019
【図１９】
0004374743.tif 000020
【図２０】
0004374743.tif 000021